【手続補正書】
【提出日】平成23年1月3日(2011.1.3)
【手続補正１】
【補正対象書類名】明細書
【補正対象項目名】全文
【補正方法】変更
【補正の内容】
【発明の詳細な説明】
【発明の名称】折れ潰れ防止用装具装備医療用チューブ
【発明が解決しようとする課題】
【０００１】  現在医療用チューブ、例えば点滴用の様なチューブの折れ、潰れが原因で輸液が滞り患者の病状に重得な事態が生じること、また、輸液が終了した場合等を含み、様々な不都合を防止する為に病院では、点滴用のポンプを使用し、輸液が流れなくなったり、滞ったりした場合には、警報音で看護師に知らせ、起きた不都合を解除している。
【０００２】  医療用の資材を、廃棄する場合に、現在の様な社会環境下では、廃棄に関して、とても気にしなくてはならない。
各自治体で、生活ゴミ、産業廃棄物に関する基準は、それぞれ違いがあるが、これからの時代、分別しやすく、リサイクルし易い状態で無いと、製品として市場に出すべきで無い事が、大きな条件に入ってくる。
【課題を解決するための手段】
【０００３】  現在通常使用されている医療用チューブに、折れ、潰れを、起こしにくくする様な能力、耐キンク性を持った装具を装備して、医療用チューブの折れ、潰れを防止する。
【０００４】  現在、市場に出回り現場で普通に使用されている医療用チューブに、医療用チューブに折れ潰れ防止能力、耐キンク性を付加できるコイル状バネ図１，２、３の２及び網状筒図４の５を、装備し（チューブを、コイルバネ、網状筒の内径内に挿入する）、コイル状バネ、網状筒の両端外側（前後、上下）に図３の２‘のコイル状バネで、コイル状バネ図１，２、３の２及び網状筒図４の５の移動を、阻止する様にした。
この様にする事で、医療用チューブの折れ潰れよる輸液の滞りを防止する。
【０００５】  医療用チューブの折れ潰れを防止する為の付加機能を持たせた装具、の素材をリサイクル可能な素材にする事で、リサイクルに関連する課題を解決する。
【発明の効果】
【０００６】  点滴用チューブの折れ、潰れが原因で輸液が滞り患者の病状に重篤な事態が生じたりする不都合を、極力排除する事により、看護師、介護士、医師の仕事が軽減でき他の業務に集中する事が可能。
【０００７】  自宅や外出中時、医療用チューブの折れや潰れで不都合が起き難くなれば、ＱＯＬ（クオリティー  オブ  ライフ）が向上し、使用者（患者）の精神的負担が軽減する。
【０００８】  リサイクルし易い素材、状態の製品にする事で、資源有限時代、温暖化効果ガスの問題が、世界的に重大問題になっている現状において、廃棄し易くする事で、看護師等の仕事量の軽減、地球環境に優しい製品になる。
【実施例】
【０００９】  図７は、本発明の実施例の側面図である。現在通常使用されている医療用チューブの外側に、樹脂製コイル状バネ２を装備し、２の樹脂製コイル状バネが移動しない様、医療用チューブ外径ｒ‘と同じか−０．１ｍｍ程度の内径ｒを有した樹脂製コイル状バネ２‘を２のコイル状バネの両端外側に巻き付け、２のコイル状バネを移動しない様に加工した医療用チューブである。
この実施例においては、２の樹脂製コイル状バネのＲと２‘の樹脂製コイル状バネのＲ’は、同じものを使用した。この様にする事で［００１０］に記述する樹脂製コイル状バネの内径ｒが、２‘の樹脂製コイル状バネの外径ｒ２より少なくなり、樹脂製コイル状バネの抜け落ち、脱落を防止する。
２‘の樹脂製コイル状バネの内径を上記の様にする事で、特別に医療用チューブに接着する事は、必要とせずに樹脂同士の摩擦力により移動は、通常行為では、困難になる。
よって、特別な設備投資を必要とせず、製造コストが、軽減できる。【００１０】  図１、図４、図８は、本発明の基本構造である。通常医療業務において使用されている医療用チューブ１に樹脂製コイル状バネ２、樹脂製網状筒２を装備させた図である。
通常医療業務で使用されている医療用チューブをそのまま利用する事で、価格面で、割安になり、外側に装備させる折れ潰れ防止用樹脂製コイル状バネ内径ｒを、医療用チューブの外径ｒ‘より＋１．０ｍｍから樹脂製コイル状バネ素材（樹脂製モノフィラメント）の径Ｒをプラスしたより少ない径ｒで作られた、コイル状バネを、医療用チューブの外側に通して装備させる事で、今まで考案された折れ潰れ機能を有した医療用チューブを、製造するために特別な機械、装置を作成する事もなく、医療用チューブに折れ、潰れを防止する能力、耐キンク性を持たせる事ができる。
因みに、図１，図２のＧ＝Ｇ‘で有ればＧの寸法は、＋１．０ｍｍから、Ｇ＜１／２Ｒ寸法に規定される。【００１１】  図４は、樹脂製コイル状バネのピッチ（Ｐ、Ｐ＝Ｒの中心から次の山Ｒの中心までの長さ。）を２にした樹脂製コイル状バネを、装備したものである。
実験によると、ピッチ２までが、耐キンク性を良好に保つ事が可能である。【００１２】  現在市場に出て実際に輸液チューブとして使用されている製品に対し、樹脂製コイル状バネを装備し、キンク度による輸液流量を計測した実験結果である。
各時間は、５回計測して平均を取ったものを掲載した。
2011147735.tif 000001
2011147735.tif 000002
【図面の簡単な説明】
【図１】  樹脂製コイル状バネのピッチが１のコイル状バネを装備した医療用チューブの側面図。１は、通常医療業務に使用されている医療用チューブ。２は、コイル状バネ。３は、１の医療用チューブと２のコイル状バネとの隙間。Ｐは、コイル状バネのモノフィラメント中心から次の山のモノフィラメントの中心までの長さ、ピッチ。Ｇは、３の隙間の寸法を表す記号であり、Ｇ‘も同様である。ｒは、コイル状バネの内径。ｒ‘は、医療用チューブの外径。
【図２】  樹脂製コイル状バネのピッチが１のコイル状バネを装備した医療用チューブの。正面図。１は、通常医療業務に使用されている医療用チューブ。２は、コイル状バネ。３は、１の医療用チューブと２のコイル状バネとの隙間。Ｇは、３の隙間の寸法を表す記号であり、Ｇ‘も同様である。ｒは、コイル状バネの内径。ｒ‘は、医療用チューブの外径。
【図３】  樹脂製コイル状バネのピッチが１のコイル状バネを装備した医療用チューブの。斜視図。１は、通常医療業務に使用されている医療用チューブ。２は、コイル状バネ。３は、１の医療用チューブと２のコイル状バネとの隙間。Ｇは、３の隙間の寸法を表す記号であり、Ｇ‘も同様である。
【図４】  樹脂製コイル状バネのピッチが２のコイル状バネを装備した医療用チューブの側面図。１は、通常医療業務に使用されている医療用チューブ。２は、コイル状バネ。３は、１の医療用チューブと２のコイル状バネとの隙間。Ｐは、コイル状バネのモノフィラメント中心から次の山のモノフィラメントの中心までの長さ、ピッチ。Ｇは、３の隙間の寸法を表す記号であり、Ｇ‘も同様。ｒは、コイル状バネの内径。ｒ‘は、医療用チューブの外径。
【図５】  樹脂製コイル状バネのピッチが２のコイル状バネを装備した医療用チューブの正面図。１は、通常医療業務に使用されている医療用チューブ。２は、コイル状バネ。３は、１の医療用チューブと２のコイル状バネとの隙間。Ｇは、３の隙間の寸法を表す記号であり、Ｇ‘も同様。ｒは、コイル状バネの内径。ｒ‘は、医療用チューブの外径。
【図６】  樹脂製コイル状バネのピッチが２のコイル状バネを装備した医療用チューブの斜視図。１は、通常医療業務に使用されている医療用チューブ。２は、コイル状バネ。３は、１の医療用チューブと２のコイル状バネとの隙間。Ｇは、３の隙間の寸法を表す記号であり、Ｇ‘も同様。ｒは、コイル状バネの内径。ｒ‘は、医療用チューブの外径。
【図７】  本発明の実施例の側面図。１は、通常医療業務に使用されている医療用チューブ。２は、樹脂製コイル状バネ。２‘は、折れ潰れ防止、耐キンク性を医療用チューブに付加するために装備する樹脂製コイル状バネ２を一定位置に固定するための、樹脂製コイル状バネ。ｒ２は、２‘の樹脂性コイル状バネの外径寸法。
【図８】  本発明の、樹脂製網状筒を装備した医療用チューブの側面図。１は、通常医療業務に使用されている医療用チューブ。２は、樹脂製網状筒の、医療用チューブに折れ潰れ防止能力、耐キンク性を持たせるための桟の部分。３は、１の医療用チューブと２の樹脂製網状筒との隙間。４は、樹脂製網状筒の２の桟を医療用チューブ延長方向に繋げるための柱部分。５は，２，４で構成された樹脂製網状筒。
【図９】  本発明の、樹脂製網状筒を装備した医療用チューブの正面図。１は、通常医療業務に使用されている医療用チューブ。２は、樹脂製網状筒の、医療用チューブに折れ潰れ防止能力、耐キンク性を持たせるための桟の部分。３は、１の医療用チューブと２の樹脂製網状筒との隙間。４は、樹脂製網状筒の２の桟を医療用チューブ延長方向に繋げるための柱部分。５は，２，４で構成された樹脂製網状筒。
【写真１】
▲１▼点滴用チューブにコイル状バネ装備時写真
▲２▼点滴用チューブにコイル状バネ装備時写真（コイル状バネの間隔あり）
現在通常使用されている点滴用医療用チューブに、チューブの折れ、潰れを極力起こしにくくする耐キンク性を持たせる様にコイル状バネ、及びそれに準ずる装具を装着して折れ、潰れを防止しようとする為の装具の写真。
【写真２】
▲３▼コイル状バネ装備時屈曲時でもチューブが折れていない写真。
▲４▼コイル状バネ装備時断面写真
現在通常使用されている点滴用医療用チューブに、チューブの折れ、潰れを極力起こしにくくする耐キンク性を持たせる様にコイル状バネ、及びそれに準ずる装具を装備して折れ、潰れを防止しようとする為の装具の写真。
【手続補正２】
【補正対象書類名】特許請求の範囲
【補正対象項目名】全文
【補正方法】変更
【補正の内容】
【特許請求の範囲】
【請求項１】
医療用チューブにおいて、当該チューブの外側にコイル状バネを装備したことを特徴にした医療用チューブ。
【請求項２】
医療用チューブにおいて、当該チューブの外側に網状筒を装備したことを特徴にした医療用チューブ。
【手続補正４】
【補正対象書類名】図面
【補正対象項目名】全図
【補正方法】変更
【補正の内容】
【図１】
2011147735.tif 000003
【図２】
2011147735.tif 000004
【図３】
2011147735.tif 000005
【図４】
2011147735.tif 000006
【図５】
2011147735.tif 000007
【図６】
2011147735.tif 000008
【図７】
2011147735.tif 000009
【図８】
2011147735.tif 000010
【図９】
2011147735.tif 000011